(57)【特許請求の範囲】
【請求項１】
蓋を開いた段ボール箱内の底部に段ボール紙よりなる下敷を配置し、段ボール箱の内部に遊技機を横置き状態で収納し、遊技機の下側部を下敷に設けられた相対峙する一対の下敷肩当間に挿入して下敷肩当で支持すると共に、段ボール箱の上方から内部に段ボール紙よりなる上掛を収納し、遊技機の上側部を上掛に設けられた相対峙する一対の上掛肩当間に挿入して上掛肩当で支持する一方、蓋を閉じて封緘することにより遊技機を段ボール箱で梱包するようにした遊技機梱包装置において、下敷が中央の本体部より両側に肩当形成部を連接した十字形状であって、本体部が段ボール箱の底部の内法と同じ大きさであり、本体部には肩当形成部を本体部に結合するための挿入片が切込によって内側における広い部分の幅を貫通孔の横幅よりも大きく外側における狭い部分の幅を貫通孔の横幅よりも小さい鳩尾状に形成されており、肩当形成部は本体部の前後縁中央より外側に延設され、本体部と肩当形成部との境に折線を形成し、この折線から肩当形成部の方向に行くに従って、外側縦壁、外側横壁、内側縦壁、内側横壁のそれぞれが折線で区分されており、内側縦壁に挿入片を挿入するための貫通孔が形成されており、肩当形成部が本体部の方向に折線に沿って外側から内側に折り曲げられ、内側横壁が本体部に接触するように重ね合わせられることによって、肩当形成部が角筒状の下敷肩当として下敷より形成され、本体部から起立した挿入片が下敷肩当における内側縦壁の外側から貫通孔に挿入されることにより、下敷肩当が下敷に支持されたことを特徴とする遊技機梱包装置。
【請求項２】
蓋を開いた段ボール箱内の底部に段ボール紙よりなる下敷を配置し、段ボール箱の内部に遊技機を横置き状態で収納し、遊技機の下側部を下敷に設けられた相対峙する一対の下敷肩当間に挿入して下敷肩当で支持すると共に、段ボール箱の上方から内部に段ボール紙よりなる上掛を収納し、遊技機の上側部を上掛に設けられた相対峙する一対の上掛肩当間に挿入して上掛肩当で支持する一方、蓋を閉じて封緘することにより遊技機を段ボール箱で梱包するようにした遊技機梱包装置において、上掛が中央の本体部より両側に肩当形成部を連接した長方形状であって、本体部が段ボール箱の内部に入れられた場合に本体部の前後縁部が段ボール箱の前後壁に接触してがたつくことがないように段ボール箱の前後壁間の内法と同じ大きさであり、本体部には肩当形成部を本体部に結合するための挿入片が切込によって内側における広い部分の幅を貫通孔の横幅よりも大きく外側における狭い部分の幅を貫通孔の横幅よりも小さい鳩尾状に形成されており、肩当形成部は本体部の前後縁中央より外側に延設され、本体部と肩当形成部との境に折線を形成し、この折線から肩当形成部の方向に行くに従って、外側縦壁、外側横壁、内側縦壁、内側横壁のそれぞれが折線で区分されており、内側縦壁に挿入片を挿入するための貫通孔が形成されており、肩当形成部が本体部の方向に折線に沿って外側から内側に折り曲げられ、内側横壁が本体部に接触するように重ね合わせられると、肩当形成部が角筒状の上掛肩当として上掛より形成され、本体部から起立した挿入片が上掛肩当における内側縦壁の外側から貫通孔に挿入されることにより、上掛肩当が上掛に支持されたことを特徴とする遊技機梱包装置。
【請求項３】
蓋を開いた段ボール箱内の底部に段ボール紙よりなる下敷を配置し、段ボール箱の内部に遊技機を横置き状態で収納し、遊技機の下側部を下敷に設けられた相対峙する一対の下敷肩当間に挿入して下敷肩当で支持すると共に、段ボール箱の上方から内部に段ボール紙よりなる上掛を収納し、遊技機の上側部を上掛に設けられた相対峙する一対の上掛肩当間に挿入して上掛肩当で支持する一方、蓋を閉じて封緘することにより遊技機を段ボール箱で梱包するようにした遊技機梱包装置において、下敷が中央の本体部より両側に肩当形成部を連接した十字形状であって、本体部が段ボール箱の内部に入れて底部の上に配置された場合に本体部の周縁部が段ボール箱の左右側壁及び前後壁に接触してがたつくことがないように段ボール箱の底部の内法と同じ大きさであり、本体部には肩当形成部を本体部に結合するための挿入片が切込によって内側における広い部分の幅を貫通孔の横幅よりも大きく外側における狭い部分の幅を貫通孔の横幅よりも小さい鳩尾状に形成されており、肩当形成部は本体部の前後縁中央より外側に延設され、本体部と肩当形成部との境に折線を形成し、この折線から肩当形成部の方向に行くに従って、外側縦壁、外側横壁、内側縦壁、内側横壁のそれぞれが折線で区分されており、内側縦壁に挿入片を挿入するための貫通孔が形成されており、肩当形成部が本体部の方向に折線に沿って外側から内側に折り曲げられ、内側横壁が本体部に接触するように重ね合わせられると、肩当形成部が角筒状の下敷肩当として下敷より形成され、本体部から起立した挿入片が下敷肩当における内側縦壁の外側から貫通孔に挿入されることにより、下敷肩当が下敷に支持される一方、上掛が中央の本体部より両側に肩当形成部を連接した長方形状であって、本体部が段ボール箱の内部に入れられた場合に本体部の前後縁部が段ボール箱の前後壁に接触してがたつくことがないように段ボール箱の前後壁間の内法と同じ大きさであり、本体部には肩当形成部を本体部に結合するための挿入片が切込によって内側における広い部分の幅を貫通孔の横幅よりも大きく外側における狭い部分の幅を貫通孔の横幅よりも小さい鳩尾状に形成されており、肩当形成部は本体部の前後縁中央より外側に延設され、本体部と肩当形成部との境に折線を形成し、この折線から肩当形成部の方向に行くに従って、外側縦壁、外側横壁、内側縦壁、内側横壁のそれぞれが折線で区分されており、内側縦壁に挿入片を挿入するための貫通孔が形成されており、肩当形成部が本体部の方向に折線に沿って外側から内側に折り曲げられ、内側横壁が本体部に接触するように重ね合わせられると、肩当形成部が角筒状の上掛肩当として上掛より形成され、本体部から起立した挿入片が上掛肩当における内側縦壁の外側から貫通孔に挿入されることにより、上掛肩当が上掛に支持されたことを特徴とする遊技機梱包装置。
【発明の詳細な説明】
【０００１】
【発明の属する技術分野】
本発明はパチンコ機又はスロットマシンのような遊技機を梱包する装置に関する。
【０００２】
【従来の技術】
図５は従来の遊技機梱包装置１００の分解した外観を示し、蓋５を開いた段ボール箱２の内部の底部６に段ボール紙よりなる下敷１０１を配置し、段ボール箱２の内部に遊技機７を横置き状態で収納し、遊技機７の下側部８を下敷１０１に設けられた相対峙する一対の下敷肩当１０２；１０３の間に挿入して下敷肩当１０２；１０３で支持すると共に、段ボール箱２の上方から内部に段ボール紙よりなる上掛１０４を収納し、遊技機７の上側部１４を上掛１０４に設けられた相対峙する一対の上掛肩当１０５；１０６の間に挿入して上掛肩当１０５；１０６で支持する一方、蓋５を閉じて封緘することにより遊技機７を段ボール箱２で梱包するようになっている。
【０００３】
【発明が解決しようとする課題】
しかし、前記従来例は下敷１０１および上掛１０４が段ボール紙により形成され、下敷肩当１０２；１０３及び上掛肩当１０５；１０６が発砲スチロールのような合成樹脂により形成されているというように、下敷１０１と下敷肩当１０２；１０３とが異種材料で形成され、上掛１０４と上掛肩当１０５；１０６とが異種材料で形成されているため、遊技機梱包装置１００で格納された遊技機７を遊技機製造会社から遊技店にトラックで運搬し、遊技店で遊技機梱包装置１００より遊技機７を取出した後、遊技機梱包装置１００は使用済として破棄されるが、その際において、下敷１０１と下敷肩当１０２；１０３とを材料で分別し、上掛１０４と上掛肩当１０５；１０６とを材料で分別しなければならないという問題点があった。
【０００４】
そこで、本発明は材料による分別を不要とすることができる遊技機梱包装置を提供するものである。
【０００５】
【課題を解決するための手段】
本発明に係る遊技機梱包装置は、段ボール箱と下敷と下敷肩当と上掛および上掛肩当が段ボール紙を材料としているので、段ボール箱と下敷と下敷肩当と上掛および上掛肩当を使用済として破棄する場合に、材料で分別することなく一緒に捨てることができ、下敷の本体部が段ボール箱の底部の内法と同じ大きさであるので、下敷が段ボール箱の内部に入れて底部の上に配置された場合、下敷における本体部の周縁部が段ボール箱の左右側壁および前後壁に接触し、下敷が段ボール箱の内部でがたつくことがなく、下敷の本体部に切込によって形成された挿入片が内側における広い部分の幅を貫通孔の横幅よりも大きく外側における狭い部分の幅を貫通孔の横幅よりも小さい鳩尾状であるので、肩当形成部が本体部の方向に折線に沿って外側から内側に折り曲げられ、内側横壁が本体部に接触するように重ね合わせられると、肩当形成部が角筒状の下敷肩当として下敷より形成され、本体部から起立した挿入片が下敷肩当における内側縦壁の外側から貫通孔に挿入される場合、挿入片の貫通孔への挿入が容易であるうえ、挿入片の幅の広い部分が貫通孔から下敷肩当の内部空間に突出するように押込まれて拡がるため、挿入片が貫通孔から抜けることがなく、下敷肩当が開かないように下敷肩当の形状を維持することができる。別の本発明に係る遊技機梱包装置は、段ボール箱と下敷と下敷肩当と上掛および上掛肩当が段ボール紙を材料としているので、段ボール箱と下敷と下敷肩当と上掛および上掛肩当を使用済として破棄する場合に、材料で分別することなく一緒に捨てることができ、上掛における本体部の前後縁部が段ボール箱の前後壁間の内法と同じ大きさであるので、上掛における本体部が段ボール箱の内部に入れられた場合、本体部の前後縁部が段ボール箱の前後壁に接触してがたつくことがなく、上掛の本体部に切込によって形成された挿入片が内側における広い部分の幅を貫通孔の横幅よりも大きく外側における狭い部分の幅を貫通孔の横幅よりも小さい鳩尾状であるので、肩当形成部が本体部の方向に折線に沿って外側から内側に折り曲げられ、内側横壁が本体部に接触するように重ね合わせられると、肩当形成部が角筒状の上掛肩当として上掛より形成され、本体部から起立した挿入片が上掛肩当における内側縦壁の外側から貫通孔に挿入される場合、挿入片の貫通孔への挿入が容易であるうえ、挿入片の幅の広い部分が貫通孔から上掛肩当の内部空間に突出するように押込まれて拡がるため、挿入片が貫通孔から抜けることがなく、上掛肩当の形状を維持することができる。更なる別の本発明に係る遊技機梱包装置は、上記２つの遊技機梱包装置における特徴を有するうえ、上掛の左右方向の寸法が下敷よりも小さいので、遊技機梱包装置の軽量化が図れる。
【０００６】
【発明の実施の形態】
図１は遊技機梱包装置１の分解した外観を示し、図２は展開した上掛４を示し、図３は上掛肩当１２；１３の作り方を示し、図４は展開した下敷３を示す。
【０００７】
図１を参照し、遊技機梱包装置１について説明する。遊技機梱包装置１は段ボール箱２と下敷３及び上掛４を備え、段ボール箱２の蓋５を開き、段ボール箱２の内部における底部６に段ボール紙製の下敷３を配置した状態において、遊技機７を横置き状態で段ボール箱２の上方より内部に収納し、遊技機７の下側部８を下敷３に設けられた段ボール紙製の相対峙する一対の下敷肩当９；１０の間に挿入することで、遊技機７の下側部８を下敷肩当９；１０で遊技機７の前後方向より挟むような格好で支持した後、段ボール紙製の上掛４を段ボール箱２の上方より内部に挿入し、遊技機７の上側部１４を上掛４に設けられた段ボール紙製の相対峙する一対の上掛肩当１２；１３の間に挿入することで、遊技機７の上側部１４を上掛肩当１２；１３で遊技機７の前後方向より挟むような格好で支持し、その後、蓋５を閉じて図外の紙テープのような封緘具で封緘するようになっている。遊技機７の横置き状態は、遊技店に設置される場合における遊技機７の上下部７ａ；７ｂが段ボール箱２の左右側壁１５；１６の方向に位置すると共に、遊技機７の前後部７ｃ；７ｄが段ボール箱２の前後壁１７；１８の方向に位置する形態である。
【０００８】
図２を参照し、上掛４について説明する。展開した場合、上掛４は中央の本体部２１より両側に肩当形成部２２；２３を連接しており、ロール状に巻かれた長尺な段ボール紙材料から長方形状に切断されて材料取りされた後に、点線で示す折線２４；２５；２６；２７；２８；２９；３０；３１が付けられると共に挿入片３２；３３及び貫通孔３４；３５が形成された形態である。本体部２１は図１に示す段ボール箱２の内部に入れた場合に本体部２１の前後縁部が段ボール箱２の前後壁１７；１８に接触してがたつくことがないように段ボール箱２の前後壁１７；１８間の内法と同じ大きさである。折線２４は本体部２１と肩当形成部２２との境を形成し、折線２４と折線２５との間は外側縦壁３６を形成し、折線２５と折線２６との間は外側横壁３７を形成し、折線２６と折線２７との間は内側縦壁３８を形成し、折線２７より先端部が内側横壁３９を形成する。そして、肩当形成部２２が折線２４〜２７に沿って内側に折り曲げられることで図１に示す前側の上掛肩当１２を形成する。折線２８は本体部２１と肩当形成部２３との境を形成し、折線２８と折線２９との間は外側縦壁４０を形成し、折線２９と折線３０との間は外側横壁４１を形成し、折線３０と折線３１との間は内側縦壁４２を形成し、折線３１より先端部が内側横壁４３を形成する。そして、肩当形成部２３が折線２８〜３１に沿って内側に折り曲げられることで図１に示す後側の上掛肩当１３を形成する。
【０００９】
前側の挿入片３２は本体部２１の左右方向に向けて直線状に延びた前後一対の切込４４；４５と、切込４４；４５の内側端の双方を繋ぐ切込４６と、切込４４；４５の外側端を結ぶ折線４７とで鳩尾状に構成される。後側の挿入片３３は本体部２１の左右方向に向けて直線状に延びた前後一対の切込４８；４９と、切込４８；４９の内側端の双方を繋ぐ切込５０と、切込４８；４９の外側端を結ぶ折線５１とで鳩尾状に構成される。挿入片３２；３３における切込４６；５０の側の広い部分の前後方向の幅は貫通孔３４；３５の横幅Ｗよりも大きくなっており、挿入片３２；３３における折線４７；５１の側の狭い部分の幅は貫通孔３４；３５の横幅Ｗよりも小寸法になっている。
【００１０】
図３を参照し、上掛肩当１２；１３の作り方について説明する。図３のａ図に示すように、前側の上掛肩当１２については、内側横壁３９を折線２７で内側に折り曲げ、内側縦壁３８を折線２６で内側に折り曲げ、外側横壁３７を折線２５で内側に折り曲げ、外側縦壁３６を折線２４で内側に折り曲げる。後側の上掛肩当１３については、内側横壁４３を折線３１で内側に折り曲げ、内側縦壁４２を折線３０で内側に折り曲げ、外側横壁４１を折線２９で内側に折り曲げ、外側縦壁４０を折線２８で内側に折り曲げる。そして、図３のｂ図に示すように、内側横壁３９；４３を本体部２１に接触するように重ね合わせる一方、前側の挿入片３２を本体部２１から起立させて内側縦壁３８の外側から貫通孔３４に挿入し、後側の挿入片３３を本体部２１から起立させて内側縦壁４２の外側から貫通孔３５に挿入することにより、上掛肩当１２；１３が完成する。挿入片３２；３３の幅の広い部分が貫通孔３４；３５から上掛肩当１２；１３の内部空間に突出するように押込まれて拡がるため、挿入片３２；３３が貫通孔３４；３５から抜けることがなく、上掛肩当１２；１３の形状が維持される。
【００１１】
図４を参照し、下敷３について説明する。展開した場合、下敷３は中央の本体部６１より両側に肩当形成部６２；６３を連接しており、ロール状に巻かれた長尺な段ボール紙材料から十字形状に切断されて材料取りされた後に、点線で示す折線６４；６５；６６；６７；６８；６９；７０；７１が付けられると共に挿入片７２；７３及び貫通孔７４；７５が形成された形態である。挿入片７２；７３における切込８６；９０の側の広い部分の前後方向の幅は貫通孔７４；７５の横幅Ｗよりも大きくなっており、挿入片７２；７３における折線８７；９１の側の狭い部分の幅は貫通孔７４；７５の横幅Ｗよりも小寸法になっている。本体部６１は図１に示す段ボール箱２の内部に入れて底部６の上に配置した場合に本体部６１の周縁部が段ボール箱２の左右側壁１５；１６及び前後壁１７；１８に接触してがたつくことがないように段ボール箱２の底部６の内法と同じ大きさである。肩当形成部６２；６３は本体部６１の前後縁中央より外側に延設される。折線６４は本体部６１と肩当形成部６２との境を形成し、折線６４と折線６５との間は外側縦壁７６を形成し、折線６５と折線６６との間は外側横壁７７を形成し、折線６６と折線６７との間は内側縦壁７８を形成し、折線６７より先端部が内側横壁７９を形成する。そして、肩当形成部６２が折線６４〜６７に沿って内側に折り曲げられることで図１に示す前側の下敷肩当９を形成する。折線６８は本体部６１と肩当形成部６３との境を形成し、折線６８と折線６９との間は外側縦壁８０を形成し、折線６９と折線７０との間は外側横壁８１を形成し、折線７０と折線７１との間は内側縦壁８２を形成し、折線７１より先端部が内側横壁８３を形成する。そして、肩当形成部６３が折線６８〜７１に沿って内側に折り曲げられることで図１に示す後側の下敷肩当１０を形成する。肩当形成部６２；６３の折り曲げ方及び挿入片７２；７３の貫通孔７４；７５への嵌めこみ方は図３を参照することによって明らかであろう。下敷３は本体部６１に示す仮想線Ｌよりも左右側部が外側に張出した以外は図２に示す上掛４と同形である。
【００１２】
本実施形態の構造によれば、下敷３と下敷肩当９；１０とが段ボール紙により形成され、上掛４と上掛肩当１２；１３とが段ボール紙により形成されているので、段ボール箱２、下敷３、下敷肩当９；１０、上掛４、上掛肩当１２；１３それぞれを使用済として破棄する場合に、材料で分別することなく一緒に捨てることができる。又、図４の本体部６１が図１の段ボール箱２の底部６の内法と同じ大きさであることから、図１に示す下敷肩当９；１０を有する下敷３が段ボール箱２の内部における底部６の上に重ね合されることによって段ボール箱２の内部でがたつくことがない。そして、遊技機７が横置き状態で蓋５の開けられた段ボール箱２の上方より内部に収納されることによって、遊技機７の下側部８が下敷肩当９；１０で遊技機７の前後方向より挟むような格好で段ボール箱２に対してがたつくことがないように支持される。しかも、図３の本体部２１の前後幅が段ボール箱２の前後壁１７；１８間の内法と同じ大きさであることから、次に、図１に示す上掛４が段ボール箱２の上方より内部に挿入されることによって、遊技機７の上側部１４が上掛肩当１２；１３で遊技機７の前後方向より挟むような格好でがたつくことがないように支持される。最後に、蓋５が閉じられて図外の封緘具で封緘されることによって、遊技機７が段ボール箱２の内部で下敷３と上掛４とによって安定に支持される。
【００１３】
前記実施形態では、図２に示す肩当形成部２２；２３を折線２４〜３１で外側より内側に折り曲げた後に、挿入片３２；３３を貫通孔３４；３５に挿入することによって、図１に示す上掛肩当１２；１３を上掛４に相対峙するように形成する構造であるので、上掛４に上掛肩当１２；１３を接着する場合に比べて簡単に設けることができる。図４に示す肩当形成部６２；６３を折線６４〜７１で外側より内側に折り曲げた後に、挿入片７２；７３を貫通孔７４；７５に挿入することによって、図１に示す下敷肩当９；１０を下敷３に相対峙するように形成する構造であるので、下敷３に下敷肩当９；１０を接着する場合に比べて簡単に設けることができる。又、図２に示すように、本体部２１と肩当形成部２２；２３とが連接されて展開された状態においてロール状に巻かれた長尺な段ボール紙材料から材料取りされた場合、段ボール紙の波状の心材５２における凹凸が本体部２１と肩当形成部２２；２３との連接方向に延長する形態であるので、本体部２１と肩当形成部２２；２３とから図１に示す上掛４と上掛肩当１２；１３とが形成された場合、上掛４と上掛肩当１２；１３とにおける前後方向からの曲げに対する抗力が強い。図４に示すように、本体部６１と肩当形成部６２；６３とが連接されて展開された状態においてロール状に巻かれた長尺なボール紙材料から材料取りされた場合、段ボール紙の波状の心材９２における凹凸が本体部６１と肩当形成部６２；６３との連接方向に延長する形態であるので、本体部６１と肩当形成部６２；６３とから図１に示す下敷３と下敷肩当９；１０とが形成された場合に、下敷３と下敷肩当９；１０とにおける前後方向からの曲げに対する抗力が強い。
【００１４】
本実施形態では図２及び図４に示すように本体部２１；６１に挿入片３２；３３；７２；７３を形成し、肩当形成部２２；２３；６２；６３に貫通孔３４；３５；７４；７５を形成したが、本体部２１；６１に貫通孔３４；３５；７４；７５を形成し、肩当形成部２２；２３；６２；６３に挿入片３２；３３；７２；７３を形成しても良い。又、本体部２１と肩当形成部２２；２３とを一枚の段ボール紙により連接形成し、本体部６１と肩当形成部６２；６３とを一枚の段ボール紙により連接形成したが、本体部２１と肩当形成部２２；２３とを段ボール紙で別々に形成し、本体部６１と肩当形成部６２；６３とを段ボール紙で別々に形成しても良いが、この場合には本体部２１と肩当形成部２２；２３とを接着剤で接着するというように結合し、本体部６１と肩当形成部６２；６３とを接着剤で接着するというように結合することは必要である。肩当形成部２２；２３を折り曲げることで上掛肩当１２；１３を形成し、肩当形成部６２；６３とを折り曲げることで下敷肩当９；１０を形成したが、外側横壁３７；４１；７７；８１に類似する形状の段ボール紙を複数枚相互に接着したような段ボール紙製のブロックを下敷肩当９；１０や上掛肩当１２；１３として形成し、これらブロックよりなる下敷肩当９；１０や上掛肩当１２；１３を本体部２１；６１に結合しても同様に適用できる。
【図面の簡単な説明】
【図１】実施形態の遊技機梱包装置を示す分解斜視図。
【図２】実施形態の上掛を示す展開図。
【図３】実施形態の上掛肩当の形成方法を示す工程図。
【図４】実施形態の下敷を示す展開図。
【図５】従来の遊技機梱包装置を示す分解斜視図。
【符号の説明】
１  遊技機梱包装置
２  段ボール箱
３  下敷
４  上掛
７  遊技機
９；１０  下敷肩当
１２；１３  上掛肩当
２１  本体部
２２；２３  肩当形成部
３２；３３  挿入片
３４；３５  貫通孔
６１  本体部
６２；６３  肩当形成部
７２；７３  挿入片
７４；７５  貫通孔
【図１】
0003625797.tif 000002
【図２】
0003625797.tif 000003
【図３】
0003625797.tif 000004
【図４】
0003625797.tif 000005
【図５】
0003625797.tif 000006